(57)【要約】補正係数算出部は、基準画像を生成する基準画像出力部と、表示部に表示する画像に関する色特性を示す画像情報と、印刷装置に関する色特性を示す印刷情報と、を受け取るプロファイル受信部と、基準画像と、印刷情報および画像情報に基づいて色変換された基準画像と、を対応付けた印刷特性データを作成する基準画像分解部と、を備える。
2015087447.tif 000002
【特許請求の範囲】
【請求項１】
基準画像を生成する基準画像出力部と、
表示部に表示する画像に関する色特性を示す画像情報と、印刷装置に関する色特性を示す印刷情報と、を受け取るプロファイル受信部と、
前記基準画像と、前記印刷情報および前記画像情報に基づいて色変換された前記基準画像と、を対応付けた印刷特性データを作成する基準画像分解部と、
を備えることを特徴とする補正係数算出部。
【請求項２】
前記画像情報は、
前記表示部に表示する画像に対応する色特性を示す画像プロファイル情報を含み、
前記印刷情報は、
前記印刷装置に対応する色特性を示す印刷プロファイル情報と、前記色変換における色空間変換の方法を示すレンダリングインテントとを含む
ことを特徴とする請求項１に記載の補正係数算出部。
【請求項３】
表示部に関する色特性を示す表示情報と、前記表示部に表示する画像に関する色特性を示す画像情報と、に基づいてディスプレイ補正データを作成するディスプレイ補正データ作成部と、
基準画像と、印刷装置に関する色特性を示す印刷情報および前記画像情報に基づいて色変換された前記基準画像と、を対応付けて作成された印刷特性データを受け取る印刷特性記憶部と、
前記ディスプレイ補正データと前記印刷特性データとに基づいて色補正情報を作成し、作成した前記色補正情報に基づいて、入力される画像信号に対して色補正を行う画像補正部と、
を備えることを特徴とする画像変換部。
【請求項４】
前記色補正は、
第１のＲＧＢの色空間からＸＹＺの色空間に変換し、変換されたＸＹＺの色空間から第２のＲＧＢの色空間に変換する
ことを特徴とする請求項３に記載の画像変換部。
【請求項５】
補正係数算出部と画像変換部とを備える色補正装置であって、
前記補正係数算出部は、
基準画像を生成する基準画像出力部と、
表示部に表示する画像に関する色特性を示す画像情報と、印刷装置に関する色特性を示す印刷情報と、を受け取るプロファイル受信部と、
前記基準画像と、前記印刷情報および前記画像情報に基づいて色変換された前記基準画像と、を対応付けた印刷特性データを作成する基準画像分解部と、
を備え、
前記画像変換部は、
前記表示部に関する色特性を示す表示情報と、前記表示部に表示する画像に関する色特性を示す画像情報と、に基づいてディスプレイ補正データを作成するディスプレイ補正データ作成部と、
基準画像と、前記印刷装置に関する色特性を示す印刷情報および前記画像情報に基づいて色変換された前記基準画像と、を対応付けて作成された印刷特性データを受け取る印刷特性記憶部と、
前記ディスプレイ補正データと前記印刷特性データとに基づいて色補正情報を作成し、作成した前記色補正情報に基づいて、入力される画像信号に対して色補正を行う画像補正部と、
を備えることを特徴とする色補正装置。
【請求項６】
設定部と画像変換部とを備える色補正装置であって、
前記設定部は、
基準画像と、印刷装置に関する色特性を示す印刷情報および表示部に表示する画像に関する色特性を示す画像情報に基づいて色変換された前記基準画像と、を対応付けて作成された印刷特性データであって、他の色補正装置から当該他の色補正装置が作成した前記印刷特性データと前記画像情報と、を受け取るデータ受信部と、
前記データ受信部が受信した前記印刷特性データと画像情報とを前記画像変換部に出力するディスプレイ設定部と、を備え、
前記画像変換部は、
前記表示部に関する色特性を示す表示情報と、前記設定部から受け取った前記画像情報と、に基づいてディスプレイ補正データを作成するディスプレイ補正データ作成部と、
前記設定部から前記印刷特性データを受け取る印刷特性記憶部と、
前記ディスプレイ補正データと前記印刷特性データとに基づいて色補正情報を作成し、作成した前記色補正情報に基づいて、入力される画像信号に対して色補正を行う画像補正部と、
を備えることを特徴とする色補正装置。
【請求項７】
画像を表示する表示部と、
前記表示部に関する色特性を示す表示情報と、前記表示部に表示する画像に関する色特性を示す画像情報と、に基づいてディスプレイ補正データを作成するディスプレイ補正データ作成部と、
基準画像と、印刷装置に関する色特性を示す印刷情報および前記画像情報に基づいて色変換された前記基準画像と、を対応付けて作成された印刷特性データを受け取る印刷特性記憶部と、
前記ディスプレイ補正データと前記印刷特性データとに基づいて色補正情報を作成し、作成した前記色補正情報に基づいて、入力される画像信号に対して色補正を行う画像補正部と、を備え、
前記表示部は、前記色補正の行われた前記画像信号に基づく画像を表示する
ことを特徴とする表示装置。
【請求項８】
基準画像を生成する基準画像出力手順と、
表示部に表示する画像に関する色特性を示す画像情報と、印刷装置に関する色特性を示す印刷情報と、を受け取るプロファイル受信手順と、
前記基準画像と、前記印刷情報および前記画像情報に基づいて色変換された前記基準画像と、を対応付けた印刷特性データを作成する基準画像分解手順と、
を含むことを特徴とする補正係数算出方法。
【請求項９】
基準画像を生成する基準画像出力手順と、
表示部に表示する画像に関する色特性を示す画像情報と、印刷装置に関する色特性を示す印刷情報と、を受け取るプロファイル受信手順と、
前記基準画像と、前記印刷情報および前記画像情報に基づいて色変換された前記基準画像と、を対応付けた印刷特性データを作成する基準画像分解手順と、
をコンピュータに実行させることを特徴とするプログラム。
【発明の詳細な説明】
【技術分野】
【０００１】
本発明は、補正係数算出部、画像変換部、色補正装置、表示装置、補正係数算出方法、及びプログラムに関する。
【背景技術】
【０００２】
印刷物をデザインするＤＴＰ（Ｄｅｓｋｔｏｐ  ｐｕｂｌｉｓｈｉｎｇ；デスクトップパブリッシング）企業等では、複数台のワークフローで利用されるパーソナルコンピュータ（以下、ＰＣという）及びそれぞれのＰＣに接続される表示装置が用いられる場合がある。【０００３】
このように複数の表示装置を用いる場合、最終成果物である印刷物を色基準として、複数台の表示装置の設定を行うニーズがある。この場合、複数の表示装置と印刷装置との出力結果が同じことが求められ、かつ多数の表示装置を簡単に設定できることが求められている。【０００４】
このため、表示装置上で目的の出力装置における色味を再現するための色変換テーブルを生成し、生成した色補正情報を用いて表示する画像の色味を補正することによって、一般的に用いられているカラーマネジメントによる色味を再現することが提案されている（例えば、特許文献１参照）。
【先行技術文献】
【特許文献】
【０００５】
【特許文献１】特許第５３２２３２６号公報
【発明の概要】
【発明が解決しようとする課題】
【０００６】
しかしながら、特許文献１に記載の発明では、個々の表示装置について、表示装置と印刷装置との出力結果を同じにすることができるが、多数の表示装置を簡単に設定できないという課題があった。【０００７】
本発明は、上記の問題点に鑑みてなされたものであって、複数の表示装置を基準となる印刷装置の出力に簡便に調整することができる色補正装置、表示装置、色補正方法、及びプログラムを提供することを目的としている。
【課題を解決するための手段】
【０００８】
上記目的を達成するため、本発明に係る補正係数算出部は、基準画像を生成する基準画像出力部と、表示部に表示する画像に関する色特性を示す画像情報と、印刷装置に関する色特性を示す印刷情報と、を受け取るプロファイル受信部と、前記基準画像と、前記印刷情報および前記画像情報に基づいて色変換された前記基準画像と、を対応付けた印刷特性データを作成する基準画像分解部と、を備える。【０００９】
上記目的を達成するため、本発明に係る画像変換部は、表示部に関する色特性を示す表示情報と、前記表示部に表示する画像に関する色特性を示す画像情報と、に基づいてディスプレイ補正データを作成するディスプレイ補正データ作成部と、基準画像と、印刷装置に関する色特性を示す印刷情報および前記画像情報に基づいて色変換された前記基準画像と、を対応付けて作成された印刷特性データを受け取る印刷特性記憶部と、前記ディスプレイ補正データと前記印刷特性データとに基づいて色補正情報を作成し、作成した前記色補正情報に基づいて、入力される画像信号に対して色補正を行う画像補正部と、を備える。【００１０】
上記目的を達成するため、本発明に係る色補正装置は、補正係数算出部と画像変換部とを備える色補正装置であって、前記補正係数算出部は、基準画像を生成する基準画像出力部と、表示部に表示する画像に関する色特性を示す画像情報と、印刷装置に関する色特性を示す印刷情報と、を受け取るプロファイル受信部と、前記基準画像と、前記印刷情報および前記画像情報に基づいて色変換された前記基準画像と、を対応付けた印刷特性データを作成する基準画像分解部と、を備え、前記画像変換部は、前記表示部に関する色特性を示す表示情報と、前記表示部に表示する画像に関する色特性を示す画像情報と、に基づいてディスプレイ補正データを作成するディスプレイ補正データ作成部と、基準画像と、前記印刷装置に関する色特性を示す印刷情報および前記画像情報に基づいて色変換された前記基準画像と、を対応付けて作成された印刷特性データを受け取る印刷特性記憶部と、前記ディスプレイ補正データと前記印刷特性データとに基づいて色補正情報を作成し、作成した前記色補正情報に基づいて、入力される画像信号に対して色補正を行う画像補正部と、を備える。【００１１】
上記目的を達成するため、本発明に係る色補正装置は、設定部と画像変換部とを備える色補正装置であって、前記設定部は、基準画像と、印刷装置に関する色特性を示す印刷情報および表示部に表示する画像に関する色特性を示す画像情報に基づいて色変換された前記基準画像と、を対応付けて作成された印刷特性データであって、他の色補正装置から当該他の色補正装置が作成した前記印刷特性データと前記画像情報と、を受け取るデータ受信部と、前記データ受信部が受信した前記印刷特性データと画像情報とを前記画像変換部に出力するディスプレイ設定部と、を備え、前記画像変換部は、前記表示部に関する色特性を示す表示情報と、前記設定部から受け取った前記画像情報と、に基づいてディスプレイ補正データを作成するディスプレイ補正データ作成部と、前記設定部から前記印刷特性データを受け取る印刷特性記憶部と、前記ディスプレイ補正データと前記印刷特性データとに基づいて色補正情報を作成し、作成した前記色補正情報に基づいて、入力される画像信号に対して色補正を行う画像補正部と、を備える。【００１２】
上記目的を達成するため、本発明に係る表示装置は、画像を表示する表示部と、前記表示部に関する色特性を示す表示情報と、前記表示部に表示する画像に関する色特性を示す画像情報と、に基づいてディスプレイ補正データを作成するディスプレイ補正データ作成部と、基準画像と、印刷装置に関する色特性を示す印刷情報および前記画像情報に基づいて色変換された前記基準画像と、を対応付けて作成された印刷特性データを受け取る印刷特性記憶部と、前記ディスプレイ補正データと前記印刷特性データとに基づいて色補正情報を作成し、作成した前記色補正情報に基づいて、入力される画像信号に対して色補正を行う画像補正部と、を備え、前記表示部は、前記色補正の行われた前記画像信号に基づく画像を表示する。【００１３】
上記目的を達成するため、本発明に係る補正係数算出方法は、基準画像を生成する基準画像出力手順と、表示部に表示する画像に関する色特性を示す画像情報と、印刷装置に関する色特性を示す印刷情報と、を受け取るプロファイル受信手順と、前記基準画像と、前記印刷情報および前記画像情報に基づいて色変換された前記基準画像と、を対応付けた印刷特性データを作成する基準画像分解手順と、を含む。【００１４】
上記目的を達成するため、本発明に係るプログラムは、基準画像を生成する基準画像出力手順と、表示部に表示する画像に関する色特性を示す画像情報と、印刷装置に関する色特性を示す印刷情報と、を受け取るプロファイル受信手順と、前記基準画像と、前記印刷情報および前記画像情報に基づいて色変換された前記基準画像と、を対応付けた印刷特性データを作成する基準画像分解手順と、をコンピュータに実行させる。
【発明の効果】
【００１５】
本発明によれば、複数の表示装置を基準となる印刷装置の出力に簡便に調整することができる。
【図面の簡単な説明】
【００１６】
【図１】本実施形態に係る表示システムの概略構成図である。
【図２】本実施形態に係る色補正装置及び色変換装置の概略構成のブロック図である。
【図３】本実施形態における基準画像の一例を示した図である。
【図４】本実施形態における色空間が変換された基準画像の一例を示す図である。
【図５】本実施形態に係る色補正装置及び色変換装置が行う処理手順のフローチャートである。
【図６】本実施形態に係る色補正装置の概略構成のブロック図である。
【図７】本実施形態に係る設定部及び画像変換部が行う処理手順のフローチャートである。
【図８】本実施形態に係る表示システムの概略構成図である。
【図９】本実施形態に係る補正係数算出部と色変換装置とを備えるＰＣ、及び画像変換部を備える表示装置の概略構成のブロック図である。
【図１０】本実施形態に係る設定部を備えるＰＣ、及び画像変換部を備える表示装置の概略構成のブロック図である。
【発明を実施するための形態】
【００１７】
以下、図面を用いて本発明の実施形態について詳細に説明する。
図１は、本実施形態に係る表示システム１の概略構成図である。
図１に示すように、表示システム１は、色補正装置１０−１〜１０−ｎ（ｎは１以上の整数）、色変換装置２０、及び表示部４０−１〜４０−ｎを含んで構成される。なお、以下の説明において、色補正装置１０−１〜１０−ｎのうち特定しない場合は、色補正装置１０といい、表示部４０−１〜４０−ｎのうち特定しない場合は、表示部４０という。
【００１８】
表示部４０は、例えば液晶パネルである。表示部４０に搭載される表示素子は、液晶方式以外の表示素子、例えば有機エレクトロルミネッセンス表示素子、無機エレクトロルミネッセンス表示素子、ＰＡＬＣ（Ｐｌａｓｍａ  Ａｄｄｒｅｓｓ  Ｌｉｑｕｉｄ  Ｃｒｙｓｔａｌ；プラズマ・アドレス液晶）、ＰＤＰ（Ｐｌａｓｍａ  Ｄｉｓｐｌａｙ  Ｐａｎｅｌ）やＦＥＤ（Ｆｉｅｌｄ  Ｅｍｉｓｓｉｏｎ  Ｄｉｓｐｌａｙ）であってもよい。また、表示部４０は、不図示のバックライト、バックライト駆動部を備えている。
【００１９】
色補正装置１０−１には、色変換装置２０及び表示部４０−１が接続される。色補正装置１０−１と色変換装置２０との接続は、有線接続であっても無線接続であってもよい。色補正装置１０−１は、入力される各種情報に基づいて、印刷物と同じ表示特性になるように、入力される映像信号を補正する補正データ（印刷特性データ及びディスプレイ補正データ）を作成する。そして、色補正装置１０−１は、作成した印刷特性データ及びディスプレイ補正データを用いて、入力される映像信号を補正して表示部４０−１に表示させる。なお、色補正装置１０−１は、色変換装置２０によって色空間が変換される画像データを用いて、印刷特性データを作成する。なお、各種情報とは、レンダリングインテント情報、画像プロファイル情報、印刷プロファイル情報である。
【００２０】
色補正装置１０−２〜１０−ｎそれぞれには、表示部４０−２〜４０−ｎが接続される。色補正装置１０−２〜１０−ｎそれぞれは、色補正装置１０−１が作成した印刷特性データ情報及び画像プロファイルを受け取り、受け取った印刷特性データ情報及び画像プロファイルに基づいて、入力される映像信号を補正する補正データ（ディスプレイ補正データ）を作成する。色補正装置１０−２〜１０−ｎそれぞれは、作成したそれぞれのディスプレイ補正データを用いて、入力される映像信号を補正して表示部４０−１に表示させる。
なお、図１では、色補正装置１０と表示部４０とが、分離している例を説明したが、色補正装置１０と表示部４０とは、一体型であってもよい。
【００２１】
ここで、本実施形態で用いる各種情報について説明する。
レンダリングインテント（Ｒｅｎｄｅｒｉｎｇ  Ｉｎｔｅｎｔ）情報とは、色空間の変換をどのような意図（インテント）で行うかが記述される情報である。例えばＩＣＣプロファイルには、色再現領域が変換時に狭くなる場合の処理について、知覚的、測色的、彩度重視の３つの色変換テーブルが用意されている。
画像プロファイル情報とは、表示部４０に表示する画像に対応するプロファイルである。画像プロファイル情報は、ｓＲＧＢ、ＡｄｏｂｅＲＧＢ、ＮＴＳＣ、ＤＣＩなどの様々な規格が存在する。
印刷プロファイル情報（出力プロファイル情報）とは、不図示の印刷装置に対応するプロファイルである。印刷プロファイル情報は、Ｊａｐａｎ  Ｃｏｌｏｒ、ＳＷＯＰ、ＥｕｒｏＰｒｅｓｓなどの様々な規格が存在する。
表示プロファイル情報とは、色補正装置１０に対応するプロファイルである。表示プロファイル情報は、プレビューに使用する色補正装置１０の特性を示す情報であり、表示部４０の個体ごとに異なる。
【００２２】
なお、プロファイル情報とは、画像、表示部４０、印刷装置のデジタル値と色との関係が記述されたデータである。プロファイル情報には、例えば、ＲＧＢ色空間とＣＭＹＫ色空間との相互の関係、ＲＧＢ（またはｓＲＧＢ）色空間とＣＩＥ  ＸＹＺ色空間との相互の関係、ＣＭＹＫ色空間とＣＩＥＬＡＢ色空間との相互の関係等が含まれている。なお、本実施形態では、ｓＲＧＢ規格の画像をＪａｐａｎ  Ｃｏｌｏｒ規格で印刷する印刷物のプレビューを行う場合について説明する。
【００２３】
図２は、本実施形態に係る色補正装置１０及び色変換装置２０の概略構成のブロック図である。図２に示すように色補正装置１０には、色変換装置２０、映像出力装置３０、及び表示部４０が接続される。
【００２４】
映像出力装置３０は、映像信号を色補正装置１０に出力する。映像出力装置３０は、例えば、ＰＣ（パーソナルコンピュータ）、携帯端末等である。
【００２５】
色補正装置１０は、補正係数算出部１１及び画像変換部１２を備える。さらに、補正係数算出部１１は、基準画像出力部１１１、プロファイル受信部１１２、及び基準画像分解部１１３を備える。
【００２６】
色補正装置１０は、基準画像及び色変換に用いるパラメータを色変換装置２０に送信し、変換された基準画像を色変換装置２０から受け取り、変換前及び変換後の基準画像より色補正情報を算出する。また、色補正装置１０は、パーソナルコンピュータ、ビデオ機器などの映像出力装置３０より入力される画像信号を算出した色補正情報に基づいて色補正をし、色補正がなされた画像信号を表示部４０に送信する。ここで、表示部４０は、ＬＣＤ（液晶ディスプレイ）、ＰＪ（プロジェクタ）などであり、色補正がなされた画像信号に基づいて画像表示を行う。
【００２７】
また、色変換に用いるパラメータには、レンダリングインテント情報と、基準画像に対応する画像プロファイル情報と、印刷装置に対応する印刷プロファイル情報（出力プロファイル情報）とが含まれる。
【００２８】
基準画像出力部１１１は、例えば、図３に示す基準画像を作成し、作成した基準画像を色変換装置２０及び基準画像分解部１１３に出力する。基準画像は、例えばＲＧＢ（赤、緑、及び青）それぞれの２５６階調（８ビット）を３２階調おきに抽出した９点を組み合わせた合計９×９×９点の補正点の色を含むものである。図３は、本実施形態における基準画像の一例を示した図である。図３に示すように、基準画像は、９×９×９点の補正点の色票が配列された画像である。基準画像は、領域Ａに（Ｒ，Ｇ，Ｂ）＝（２５５，２５５，２５５）の色を示す画像が配置され、領域Ｂに（Ｒ，Ｇ、Ｂ）＝（２５５，２５５，２２４）の色を示す画像が配置される。また、基準画像は、領域Ｃに（Ｒ，Ｇ，Ｂ）＝（２５５，２２４，２２４）の色を示す画像が配置され、領域Ｄに（Ｒ，Ｇ，Ｂ）＝（２２４，２２４，２２４）の色を示す画像が配置されている。なお、色票は、色を示す情報であり、赤、緑、青の３色それぞれのレベル（Ｒ，Ｇ，Ｂ）を示す値が含まれている。なお、複数の補正点の色票を含む基準画像の代わりに、１点の補正点の色票のみを含む基準画像を複数用いてもよい。
【００２９】
プロファイル受信部１１２は、レンダリングインテント情報と、利用者により選択された画像プロファイル情報と、印刷プロファイル情報とが入力される。プロファイル受信部１１２は、入力されたレンダリングインテント情報と、画像プロファイル情報と、印刷プロファイル情報とを、色変換装置２０に出力する。プロファイル受信部１１２は、入力された画像プロファイル情報を、画像変換部１２に出力する。
【００３０】
基準画像分解部１１３は、色空間が変換された基準画像（図４）を色変換装置２０から受け取ると共に、基準画像出力部１１１から基準画像（図３）が入力される。また、基準画像分解部１１３は、色空間が変換される前後の基準画像それぞれに含まれる色を示す領域を９×９×９個の画像領域に分割し、分割した画像領域それぞれに対して色変換される前後ごとに対応付けることで、補正係数（印刷特性データ）を算出する。基準画像分解部１１３は、算出した印刷特性データを、画像変換部１２に出力する。なお、印刷特性データは、基準画像が入力点群に、色変換装置２０から受け取った画像が出力点群に設定された３ＤＬＩＴ（３  Ｄｉｍｅｎｓｉｏｎ  Ｌｏｏｋ  Ｕｐ  Ｔａｂｌｅ；３次元ルックアップテーブル）構成になっている。
【００３１】
図４は、本実施形態における色空間が変換された基準画像の一例を示す図である。色空間が変換された基準画像には、色変換された９×９×９個の画像領域が、基準画像（図３）と同様に、配列されている。図４に示すように、領域Ａ’に（Ｒ，Ｇ，Ｂ）＝（２５５，２５５，２５５）の色の示す領域が配置され、領域Ｂ’に（Ｒ，Ｇ、Ｂ）＝（２５５，２４３，２１１）の色を示す画像が配置され、領域Ｃ’に（Ｒ，Ｇ，Ｂ）＝（２００，２１０，２２３）の色を示す画像が配置され、領域Ｄに（Ｒ，Ｇ，Ｂ）＝（２３０，２２５，２００）の色を示す画像が配置されている。また、図３の領域Ａの色は、色変換装置２０において色変換された図４の領域Ａ’に対応する。同様に、領域Ｂの色は領域Ｂ’の色に対応し、領域Ｃの色は領域Ｃ’に対応し、領域Ｄの色は領域Ｄ’の色に対応する。
【００３２】
色変換装置２０は、色変換エンジン２１及び色変換エンジン２２を備える。
色変換エンジン２１は、プロファイル受信部１１２が出力したレンダリングインテント情報に基づいて、画像プロファイル及び印刷プロファイルを用いて、基準画像分解部１１３が出力した例えばｓＲＧＢの色空間における基準画像を、例えばＣＭＹＫの色空間における画像に変換する。例えば、色変換エンジン２１は、入力された基準画像をｓＲＧＢ規格の色空間からＪａｐａｎ  Ｃｏｌｏｒ規格の色空間に変換を行う。色変換エンジン２１は、ＣＭＹＫの色空間の画像に色変換された基準画像を、色変換エンジン２２に出力する。
【００３３】
色変換エンジン２２は、プロファイル受信部１１２が出力した画像プロファイル及び印刷プロファイルを用いて、色変換エンジン２１が出力したＣＭＹＫの色空間における基準画像を、ＲＧＢの色空間における画像に変換する。色変換エンジン２２は、ＲＧＢの色空間の画像に変換された基準画像を、色補正装置１０の基準画像分解部１１３に出力する。例えば、色変換エンジン２２は、入力された基準画像をＪａｐａｎ  Ｃｏｌｏｒ規格の色空間から、ｓＲＧＢ規格の色空間に変換を行う。色変換エンジン２１、２２は、例えば、アドビ社のＡＣＥ、マイクロソフト社のＩＣＭ２．０又はＷＣＳ、アップル社のＣｏｌｏｒＳｙｎｃ（登録商標）などの一般的に広く用いられているアプリケーション又はＯＳなどが有するソフトウェアである。
【００３４】
画像変換部１２は、印刷特性記憶部１２１、画像プロファイル記憶部１２２、表示プロファイル記憶部１２３、ディスプレイ補正データ作成部１２４、及び画像補正部１２５を備える。
印刷特性記憶部１２１には、基準画像分解部１１３が出力した印刷特性データが記憶される。
画像プロファイル記憶部１２２には、プロファイル受信部１１２が出力した画像プロファイル情報が記憶される。
表示プロファイル記憶部１２３には、色補正装置１０に接続される表示部４０の表示特性、色域、白点、ガンマ特性を含む表示プロファイルが記憶される。なお、表示プロファイル記憶部１２３には、表示特性情報が記憶されていてもよい。この場合、画像変換部１２は、表示プロファイル記憶部１２３に記憶区されている表示特性を用いて、表示プロファイルを作成するようにしてもよい。
【００３５】
ディスプレイ補正データ作成部１２４は、画像プロファイル記憶部１２２に記憶されている画像プロファイルを読み出し、表示プロファイル記憶部１２３に記憶されている表示プロファイルを読み出す。そして、ディスプレイ補正データ作成部１２４は、ＲＧＢ色空間からＣＩＥ  ＸＹＺ色空間に変換する関係の記述された画像プロファイルと、ＣＩＥ  ＸＹＺ色空間からＲＧＢ色空間に変換する関係の記述された表示プロファイルに基づき、周知の手法によってディスプレイ補正データを作成する。このディスプレイ補正データにより、異なるＲＧＢ色空間に変換することが可能となる。ディスプレイ補正データ作成部１２４は、作成したディスプレイ補正データを画像補正部１２５に出力する。
【００３６】
画像補正部１２５は、３ＤＬＵＴ（３  Ｄｉｍｅｎｓｉｏｎ  Ｌｏｏｋ  Ｕｐ  Ｔａｂｌｅ；３次元ルックアップテーブル）１２５１を備える。画像補正部１２５は、印刷特性記憶部１２１に記憶されている印刷特性データを読み出し、ディスプレイ補正データ作成部１２４が出力したディスプレイ補正データを受け取る。画像補正部１２５は、印刷特性データとディスプレイ補正データとを用いて補正係数を作成し、作成した補正係数を３ＤＬＵＴ１２５１に設定する。画像補正部１２５は、３ＤＬＵＴ１２５１に基づいて入力された映像信号を補正し、補正した映像信号を表示部４０に出力する。なお、画像補正部１２５は、ガンマ補正部（１ＤＬＵＴｘ３）やバックライト駆動部を備えていてもよい。
【００３７】
次に、補正係数算出部１１、色補正装置１０及び色変換装置２０が行う処理について説明する。図５は、本実施形態に係る色補正装置１０及び色変換装置２０が行う処理手順のフローチャートである。
（ステップＳ１）プロファイル受信部１１２は、画像プロファイル（例えば、ｓＲＧＢ規格のデータ）を受け取る。
（ステップＳ２）プロファイル受信部１１２は、印刷プロファイル（例えば、Ｊａｐａｎ  Ｃｏｌｏｒ規格のデータ）を受け取る。
【００３８】
（ステップＳ３）基準画像出力部１１１は、基準画像を作成する。なお、作成する基準画像は、色補正装置１０の補正点を表す画像である。
（ステップＳ４）基準画像出力部１１１は、作成した基準画像を色変換装置２０の色変換エンジン２１に出力する。
【００３９】
（ステップＳ５）色変換エンジン２１は、プロファイル受信部１１２が出力したレンダリングインテント情報に基づいて、画像プロファイル及び印刷プロファイルを用いて、基準画像分解部１１３が出力した例えばＲＧＢの色空間における基準画像を、例えばＣＭＹＫの色空間における画像に変換する。
【００４０】
（ステップＳ６）色変換エンジン２２は、プロファイル受信部１１２が出力した画像プロファイル及び印刷プロファイルを用いて、色変換エンジン２１が出力したＣＭＹＫの色空間における基準画像を、ＲＧＢの色空間における画像に変換する。色変換エンジン２２は、ＲＧＢの色空間の画像に変換された基準画像を、色補正装置１０の基準画像分解部１１３に出力する。
【００４１】
（ステップＳ７）基準画像分解部１１３は、色空間が変換された基準画像を色変換装置２０から受け取る。
（ステップＳ８）基準画像分解部１１３は、色空間が変換される前後の基準画像それぞれに含まれる色を示す領域を９×９×９個の画像領域に分割し、分割した画像領域それぞれに対して色変換される前後ごとに対応付けることで、補正係数である印刷特性データを作成する。
（ステップＳ９）基準画像分解部１１３は、作成した印刷特性データを、画像変換部１２に出力する。
【００４２】
（ステップＳ１０）画像変換部１２は、表示プロファイル記憶部１２３に記憶区されている表示特性を用いて、表示プロファイルを作成する。
（ステップＳ１１）ディスプレイ補正データ作成部１２４は、画像プロファイル記憶部１２２から読み出した画像プロファイルと、表示プロファイル記憶部１２３から読み出した表示プロファイルに基づいてディスプレイ補正データを作成する。
【００４３】
（ステップＳ１２）画像補正部１２５は、印刷特性記憶部１２１に記憶されている印刷特性データを読み出し、ディスプレイ補正データ作成部１２４が出力したディスプレイ補正データを受け取る。次に、画像補正部１２５は、印刷特性データとディスプレイ補正データとを用いて補正係数を作成し、作成した補正係数を３ＤＬＵＴ１２５１に設定する。
（ステップＳ１３）画像補正部１２５は、３ＤＬＵＴ１２５１に基づいて入力された映像信号を補正し、補正した映像信号を表示部４０に出力する。
以上で、色補正装置１０及び色変換装置２０が行う処理を終了する。
【００４４】
ステップＳ１〜Ｓ１３の処理によって、色補正装置１０−１に対する印刷物に合わせた画質設定が完了する。そして、この処理により、色補正装置１０−１内には、作成された印刷特性データとディスプレイ補正データが記憶される。
【００４５】
なお、上述した例では、色補正装置１０−１が補正係数算出部１１及び画像変換部１２を備え、色補正装置１０−２〜１０−ｎが設定部１３及び画像変換部１２を備える例を説明したが、全ての色補正装置１０は、補正係数算出部１１、設定部１３及び画像変換部１２を備えるようにしてもよい。
【００４６】
以上のように本実施形態の補正係数算出部は、基準画像を生成する基準画像出力部と、表示部に表示する画像に関する色特性を示す画像情報と、印刷装置に関する色特性を示す印刷情報と、を受け取るプロファイル受信部と、基準画像と、印刷情報および画像情報に基づいて色変換された基準画像と、を対応付けた印刷特性データを作成する基準画像分解部と、を備える。
また、本実施形態の画像変換部は、表示部に関する色特性を示す表示情報と、表示部に表示する画像に関する色特性を示す画像情報と、に基づいてディスプレイ補正データを作成するディスプレイ補正データ作成部と、基準画像と、印刷装置に関する色特性を示す印刷情報および画像情報に基づいて色変換された基準画像と、を対応付けて作成された印刷特性データを受け取る印刷特性記憶部と、ディスプレイ補正データと印刷特性データとに基づいて色補正情報を作成し、作成した色補正情報に基づいて、入力される画像信号に対して色補正を行う画像補正部と、を備える。
【００４７】
また、本実施形態の色補正装置は、補正係数算出部と画像変換部とを備える色補正装置であって、補正係数算出部は、基準画像を生成する基準画像出力部と、表示部に表示する画像に関する色特性を示す画像情報と、印刷装置に関する色特性を示す印刷情報と、を受け取るプロファイル受信部と、基準画像と、印刷情報および画像情報に基づいて色変換された基準画像と、を対応付けた印刷特性データを作成する基準画像分解部と、を備え、画像変換部は、表示部に関する色特性を示す表示情報と、表示部に表示する画像に関する色特性を示す画像情報と、に基づいてディスプレイ補正データを作成するディスプレイ補正データ作成部と、基準画像と、印刷装置に関する色特性を示す印刷情報および画像情報に基づいて色変換された基準画像と、を対応付けて作成された印刷特性データを受け取る印刷特性記憶部と、ディスプレイ補正データと印刷特性データとに基づいて色補正情報を作成し、作成した色補正情報に基づいて、入力される画像信号に対して色補正を行う画像補正部と、を備える。
【００４８】
この構成によって、本実施形態の補正係数算出部は、印刷特性データを作成することができる。また、この構成によって、本実施形態の画像変換部は、ディスプレイ補正データを作成することができる。
また、本実施形態の色補正装置は、印刷属性データ及びディスプレイ補正データを作成することができるので、入力された画像信号に対して印刷装置に合わせた色補正を行うことができる。
【００４９】
次に、色補正装置１０−２〜１０−ｎに対する印刷物に合わせた画質設定について説明する。
図６は、本実施形態に係る色補正装置１０Ａの概略構成のブロック図である。図６に示すように色補正装置１０Ａには、映像出力装置３０、及び表示部４０が接続される。なお、色補正装置１０と同じ機能を有する機能部については、同じ符号を用いて、説明を省略する。
【００５０】
色補正装置１０Ａは、設定部１３及び画像変換部１２を備える。さらに、設定部１３は、データ受信部１３１及びディスプレイ設定部１３２を備える。また、画像変換部１２は、色補正装置１０と同様に、印刷特性記憶部１２１、画像プロファイル記憶部１２２、表示プロファイル記憶部１２３、ディスプレイ補正データ作成部１２４、及び画像補正部１２５を備える。
【００５１】
データ受信部１３１は、色補正装置１０−１から画像プロファイル情報と印刷特性データ情報とを受け取り、受け取った画像プロファイル情報と印刷特性データ情報とをディスプレイ設定部１３２に出力する。なお、データ受信部１３１は、画像プロファイル情報と印刷特性データ情報の送受信を、無線通信または有線通信、あるいはＵＳＢ（Ｕｎｉｖｅｒｓａｌ  Ｓｅｒｉａｌ  Ｂｕｓ；ユニバーサル・シリアル・バス）等の記録媒体を介して受け取るようにしてもよい。
【００５２】
ディスプレイ設定部１３２は、データ受信部１３１が出力した印刷特性データ情報を、画像変換部１２の印刷特性記憶部１２１に記憶させる。ディスプレイ設定部１３２は、データ受信部１３１が出力した画像プロファイル情報を、画像プロファイル記憶部１２２に記憶させる。
【００５３】
次に、設定部１３及び画像変換部１２が行う処理について説明する。図７は、本実施形態に係る設定部１３及び画像変換部１２が行う処理手順のフローチャートである。
（ステップＳ１０１）データ受信部１３１は、色補正装置１０−１から画像プロファイル情報を受け取る。
（ステップＳ１０２）データ受信部１３１は、色補正装置１０−１から印刷特性データ情報を受け取る。
【００５４】
（ステップＳ１０３）ディスプレイ設定部１３２は、データ受信部１３１が出力した印刷特性データ情報を、画像変換部１２の印刷特性記憶部１２１に記憶させる。次に、ディスプレイ設定部１３２は、データ受信部１３１が出力した画像プロファイル情報を、画像プロファイル記憶部１２２に記憶させる。
【００５５】
（ステップＳ１０４）画像変換部１２は、表示部の特性に基づいて、表示プロファイルを作成し、作成した表示プロファイルを表示プロファイル記憶部１２３に記憶させる。なお、表示プロファイルは、予め表示プロファイル記憶部１２３に記憶させておいてもよい。
（ステップＳ１０５）ディスプレイ補正データ作成部１２４は、印刷特性記憶部１２１から読み出した印刷特性データと、表示プロファイル記憶部１２３から読み出した表示プロファイルに基づいて、ディスプレイ補正データを作成する。なお、本ステップＳ１０５においてディスプレイ補正データ作成部１２４が作成するディスプレイ補正データは、例えば、色補正装置１０−２が処理を行う場合、色補正装置１０−２に接続される表示部４０−２に合わせた特性のデータであるため、ステップＳ１１において色補正装置１０−１が作成したディスプレイ補正データとは異なっている場合もある。
【００５６】
（ステップＳ１０６）画像補正部１２５は、印刷特性データとディスプレイ補正データとを用いて補正係数を作成し、作成した補正係数を３ＤＬＵＴ１２５１に設定する。
（ステップＳ１０７）画像補正部１２５は、３ＤＬＵＴ１２５１に基づいて入力された映像信号を補正し、補正した映像信号を表示部４０に出力する。
以上で、設定部１３及び画像変換部１２が行う処理を終了する。
【００５７】
ステップＳ１０１〜Ｓ１０７の処理によって、色補正装置１０−ｎに対する印刷物に合わせた画質設定が完了する。例えば、色補正装置１０−１〜１０−ｎの管理者は、上述したステップＳ１〜Ｓ１３、及びステップＳ１０１〜Ｓ１０７の処理によって、ｎ個の色補正装置１０に対して、印刷物に合わせた画質設定を行うことができる。この結果、本実施形態によれば、例えばｎ＝１００の場合、１００個の色補正装置１０を、全て同じ画像の表示状態になるように調整することができる。
【００５８】
以上のように、本実施形態の色補正装置は、設定部と画像変換部とを備える色補正装置であって、設定部は、基準画像と、印刷装置に関する色特性を示す印刷情報および表示部に表示する画像に関する色特性を示す画像情報に基づいて色変換された基準画像と、を対応付けて作成された印刷特性データであって、他の色補正装置から当該他の色補正装置が作成した印刷特性データと画像情報と、を受け取るデータ受信部と、データ受信部が受信した印刷特性データと画像情報とを画像変換部に出力するディスプレイ設定部と、を備え、画像変換部は、表示部に関する色特性を示す表示情報と、設定部から受け取った画像情報と、に基づいてディスプレイ補正データを作成するディスプレイ補正データ作成部と、設定部から印刷特性データを受け取る印刷特性記憶部と、ディスプレイ補正データと印刷特性データとに基づいて色補正情報を作成し、作成した色補正情報に基づいて、入力される画像信号に対して色補正を行う画像補正部と、を備える。
【００５９】
この構成によって、本実施形態によれば、色補正装置１０が複数であっても、色変換エンジン２１及び２２を有する色変換装置２０が１個でよい。他の色補正装置は、色変換エンジン２１及び２２を有する色変換装置２０が作成した印刷特性データを受け取る。これにより、本実施形態によれば、色変換エンジンをソフトウェアで実現する場合に１ライセンスのみで済むため、表示システム１のコストを大幅に下げることができる。
【００６０】
なお、上述した処理を各色補正装置１０が連動して行うようにしてもよい。
図８は、本実施形態に係る表示システム１Ａの概略構成図である。図８に示すように、色補正装置１０−１は、送信部１４を備えている。なお、図８では、色変換装置２０が色補正装置１０−１に接続される例を示したが、色変換装置２０が接続されるのは、色補正装置１０−１〜１０−ｎのいずれの装置であってもよい。なお、色補正装置１０−１〜１０−ｎそれぞれは、ネットワーク５０を介して接続される。ネットワーク５０は、有線メットワーク、または無線ネットワークである。
【００６１】
送信部１４は、データ受信部１３１が受け取った画像プロファイル情報と、補正係数算出部１１が作成した印刷特性データとを、ネットワーク５０を介して他の色補正装置１０−２〜１０−ｎに送信する。
なお、色補正装置１０−２〜１０−ｎそれぞれは、画像プロファイル情報を、ネットワーク５０を介して取得するようにしてもよい。
【００６２】
例えば、１００個の色補正装置１０のうち、予め定められている色補正装置１０−１の電源がオン状態になったとき、色補正装置１０−１は、ネットワーク５０を介して、レンダリングインテント情報、画質プロファイル情報、印刷プロファイル情報を取得する。そして、色補正装置１０−１は、印刷特性データ、ディスプレイ補正データ、及び補正係数を作成する。そして、色補正装置１０−１は、作成した印刷特性データと、取得した画像プロファイル情報とを、ネットワーク５０を介して色補正装置１０−２〜１０−ｎに送信する。そして、色補正装置１０−２〜１０−ｎそれぞれは、受け取った印刷特性データと画像プロファイル情報と、さらに各色補正装置１０に接続される表示部４０−２〜４０−３の特性に基づいて作成した表示プロファイル情報とに基づいて、ディスプレイ補正データ及び補正係数を作成する。
【００６３】
また、本実施形態では、例えば起動時に、色補正装置１０がレンダリングインテント情報、画像プロファイル情報、及び印刷プロファイル情報を取得する例を説明したが、これに限られない。例えば、複数の色補正装置１０に対して、複数の印刷装置が接続されている場合、色補正装置１０は、印刷装置毎にレンダリングインテント情報、画像プロファイル情報、及び印刷プロファイル情報を取得する必要がある。このような場合、例えば表示システム１Ｂの管理者は、異なる印刷装置を用いるとき、管理者が使用する端末から、レンダリングインテント情報、画像プロファイル情報、及び印刷プロファイル情報を、ネットワークを介して色補正装置１０に送信するようにしてもよい。そして、予め定められている色補正装置１０は、これらの情報を受け取ったタイミングで、上述したステップＳ１〜Ｓ１３の処理を実行するようにしてもよい。
【００６４】
以上のように、本実施形態によれば、多数のファイル及びを用いた設定作業を、全ての表示装置（色補正装置１０と表示部４０）に対して繰り返す必要がない。このような煩雑な作業においては、誤ったパラメータを用いるなどケアレスミスが発生しやすい。一方、本実施形態によれば、このような煩雑な作業を行う必要がないため、誤ったパラメータを用いるなどケアレスミスを防ぐことができる。
さらに、本実施形態によれば、色変換エンジンは、表示装置（色補正装置１０と表示部４０）に接続される複数のＰＣにインストールする必要がなく、１台のＰＣのみにインストールすればよい。このため、本実施形態によれば、１台のＰＣに対するライセンス料で済むため、表示システム１（または１Ｂ）のコストを大幅に削減することができる。
【００６５】
また、本実施形態によれば、単一の補正データを複数の表示装置（色補正装置１０と表示部４０）に送信後、各表示装置（色補正装置１０と表示部４０）は、受け取った補正データを、各表示部４０に合わせてさらに補正しているため、複数の表示装置の表示特性を一致させることができる。
【００６６】
また、本実施形態では、色補正装置１０が、印刷特性データを用いて作成された補正を行う例を説明したが、これに限られない。印刷特性データとディスプレイ補正データとが色補正装置１０内で分離されて記憶されているため、色補正装置１０は、ディスプレイ補正データを利用しつつ、印刷特性データを反映するか否かを用途に応じて利用者が切り替えて使用するようにしてもよい。これにより、本実施形態によれば、印刷に伴う色変化（元々の表示特性と印刷特性との差）を、ディスプレイの表示特性を瞬時に切り替えることで確認できる。
【００６７】
また、本実施形態では、色補正装置１０が画像プロファイル、印刷特性データ、ディスプレイ補正データを１つずつ記憶する例を説明したが、これに限られない。色補正装置１０は、画像プロファイル、印刷特性データ、ディスプレイ補正データを複数組記憶するようにしてもよい。そして、利用者は、業務に応じて、記憶されている設定を切り替えて使用するようにしてもよい。
【００６８】
なお、本実施形態では、図１、図２、図６、及び図８のように、色補正装置１０（または、１０Ｂ）に１個の表示部４０が接続される例を説明したが、表示部４０は複数であってもよい。色補正装置１０に複数の表示部４０が接続される場合、色補正装置１０の画像変換部１２は、表示部４０毎の表示プロファイル情報を作成し、作成した複数の表示プロファイルを用いて表示部４０毎のディスプレイ補正データを作成するようにしてもよい。そして、色補正装置１０は、作成した表示部４０毎のディスプレイ補正データを用いて、入力された画像信号を補正して各表示部４０に表示させるようにしてもよい。
【００６９】
さらに、例えば２個の表示部４０が色補正装置１０に接続されている場合、上述したように、表示部４０毎に印刷特性データを反映するか否かを選択できるようにしてもよい。例えば一方の表示部４０には印刷特性データを反映した画像を表示させ、他方の表示部４０に印刷特性データを反映しない画像を表示させるようにしてもよい。
【００７０】
なお、上述の実施形態においては、基準画像出力部１１１は、ＲＧＢそれぞれの２５６階調を３２階調おきに抽出した基準画像を出力する構成としたが、これに限らず、映像出力装置３０が出力する画像信号に応じて補正点を変更してもよい。例えば、ＩＳＯ１２６４６、ＧＲＡＣｏＬ２０６、ＦＯＧＲＡ３９などの色評価用パターンからいずれか１つが利用者により選択され、選択された色評価用パターンに基づいて基準画像を生成してもよい。これにより、色変換装置２０における変換誤差を、画像信号の絵柄、使用目的などに応じた画像特性を補正点に反映することができ、色変換における誤差を抑制することができる。画像特性とは、例えば、映画フィルムを基にした画像信号では、黒を中心とした暗部の絵柄が多いなどである。
【００７１】
また、肌色などの人間の視認性が高い色を重視して、すなわち、肌色に近い色に補正点を多く配置して基準画像を生成してもよい。これにより、人物の写真などの多い印刷物に対する印刷プレビューの再現性を改善することができる。
また、基準画像出力部１１１は、ＲＧＢそれぞれの２５６階調（８ビット）を３２階調おきに抽出した９点を組み合わせた合計９×９×９点の補正点の色を含む基準画像と、黒から白に変化するグレーのみを補正点とした基準画像とを生成し、グレーを含む白黒の印刷物の印刷プレビューを行う場合と、カラーの印刷物の印刷プレビューを行う場合とにおいて利用者により基準画像を選択できるようにしてもよい。これにより、印刷物に応じた印刷プレビューを行うことができ、再現性を高めることができる。
【００７２】
なお、上述の実施形態において、色変換装置２０は、２回の色変換によりｓＲＧＢ規格のＲＧＢ値からＪａｐａｎＣｏｌｏｒ規格のＣＭＹＫ値、ＪａｐａｎＣｏｌｏｒ規格のＣＭＹＫ値から表示装置４の色空間のＲＧＢ値に基準画像を変換したが、これに限られない。色変換装置２０は、ＲＧＢ、ＣＭＹＫなどの入出力装置に依存した色情報を、入出力装置に非依存の色空間のＰＣＳ情報に変換し、当該ＰＣＳ情報を入出力装置に依存する色情報に変換するようにしてもよい。ここで、ＰＣＳ規格とは、プロファイル結合色空間を示すものであり、Ｌａｂ、ＸＹＺなどの表示装置、印刷装置などの入出力装置に非依存の色空間を示すものである。
【００７３】
また、上述した実施形態では、補正点である９×９×９個の色票を含む基準画像を用いて説明したが、これに限ることなく、３ＤＬＵＴ１２５１が有する記憶容量に応じて補正点の数を変更してもよい。
また、上述した実施形態では、印刷装置が出力する印刷物の色味を表示部４０上で再現する場合について説明したが、これに限らず、印刷装置以外の画像を出力する出力装置の色味を表示部４０上で再現するようにしてもよい。表示部４０とは別の表示装置、例えば、プロジェクタにより映し出される画像の色味を表示部４０（ＬＣＤディスプレイ）上に再現するようにしてもよい。この場合、印刷プロファイル情報に替えて、出力装置に対応するプロファイル情報を用いてもよい。
【００７４】
また、上述した実施形態において、表示プロファイル記憶部１２３が、予め記憶するガンマ特性として、「２．２」などの規格値を用いてもよい。この場合、表示プロファイル記憶部１２３に記憶される表示プロファイル情報には、規格値により表される規格ガンマ特性、あるいは、表示部４０を規格ガンマ特性に調整するガンマ補正値が含まれる。
【００７５】
また、３ＤＬＵＴ１２５１は、色覚異常や、ＣＩＥ１９６４Ｘ１０Ｙ１０Ｚ１０表色系など異なる色覚特性に基づいて追加補正値を算出して、入力される画像信号の各画素の色に対して色補正を行ってもよい。
【００７６】
なお、上述した例では、１個の色補正装置１０が、補正係数算出部１１と画像変換部１２とを備え、他の色補正装置１０が、設定部１３と画像変換部１２を備える例を説明したが、これに限られない。補正係数算出部１１または設定部１３をＰＣが備え、画像変換部１２を表示装置が備えていてもよい。
【００７７】
図９は、本実施形態に係る補正係数算出部１１と色変換装置２０とを備えるＰＣ３０１、及び画像変換部１２を備える表示装置３０２の概略構成のブロック図である。
図９に示すように、ＰＣ３０１には表示装置３０２が接続される。また、ＰＣ３０１は、補正係数算出部１１、色変換装置２０、及び映像出力部３０１１を備える。また、表示装置３０２は、画像変換部１２及び表示部４０を備える。なお、補正係数算出部１１、色変換装置２０、及び画像変換部１２の各構成は、色補正装置１０（図１０）の各部と同様である。
なお、ＰＣ３０１と表示装置３０２とは、情報のやりとりが可能なケーブルを介して接続される。ケーブルは、例えばＵＳＢケーブルである。または、ＰＣ３０１と表示装置３０２とを接続する映像ケーブルを介して、情報のやりとりを行うようにしてもよい。
【００７８】
ＰＣ３０１の補正係数算出部１１及び色変換装置２０は、取得したレンダリングインテント情報、画像プロファイル情報、及び印刷プロファイル情報と、作成した基準画像とを用いて、印刷特性データを作成する。なお、ＰＣ３０１は、例えばネットワーク経由またはＵＳＢ端子等に接続される記録媒体を介して、レンダリングインテント情報、画像プロファイル情報、及び印刷プロファイル情報を取得する。補正係数算出部１１は、作成した印刷特性データと、取得した画像プロファイル情報とを表示装置３０２に出力する。また、ＰＣ３０１は、映像出力部３０１１からＰＣ３０１が作成した映像信号を、表示装置３０２に出力する。
また、ＰＣ３０１は、ネットワークを介して、作成した印刷特性データを他のＰＣに出力する。
【００７９】
表示装置３０２の画像変換部１２は、ＰＣ３０１が出力した画像プロファイル情報と自装置が作成する表示プロファイル情報とを用いて、自表示装置３１２の表示部４０に合わせたディスプレイ補正データを作成する。そして、画像変換部１２は、受け取った印刷特性情報と、作成したディスプレイ補正データとを用いて補正係数を作成し、作成した補正係数を３ＤＬＵＴ１２５１に設定する。画像変換部１２は、３ＤＬＵＴ１２５１に基づいてＰＣ３０１から入力された映像信号を補正し、補正した映像信号を表示部４０に出力する。
【００８０】
図１０は、本実施形態に係る設定部１３を備えるＰＣ３０１、及び画像変換部１２を備える表示装置３０２の概略構成のブロック図である。
図１０に示すように、ＰＣ３１１には表示装置３１２が接続される。また、ＰＣ３０１から３１１は、設定部１３及び映像出力部３１０１を備える。表示装置３１２は、表示装置３０２と同様に、画像変換部１２及び表示部４０を備える。
【００８１】
ＰＣ３１１の設定部１３は、例えばネットワークを介して、画像プロファイル情報と、ＰＣ３０１が出力する印刷特性データ情報を受け取る。設定部１３は、受け取った印刷特性データ情報を表示装置３１２に出力する。また、設定部１３は、受け取った画像プロファイル情報を表示装置３１２に出力する。また、ＰＣ３１１は、映像出力部３１０１からＰＣ３１１が作成した映像信号を、表示装置３１２に出力する。
【００８２】
表示装置３１２の画像変換部１２は、表示装置３０２の画像変換部１２と同様に、自表示装置３１２の表示部４０に合わせたディスプレイ補正データを作成する。そして、画像変換部１２は、受け取った印刷特性情報と、作成したディスプレイ補正データとを用いて補正係数を作成し、作成した補正係数を３ＤＬＵＴ１２５１に設定する。画像変換部１２は、３ＤＬＵＴ１２５１に基づいてＰＣ３１１から入力された映像信号を補正し、補正した映像信号を表示部４０に出力する。
【００８３】
ＰＣと表示装置との組み合わせが複数ある環境では、図９に示した補正係数算出部１１と色変換装置２０とを備えるＰＣ３０１は、１個でよい。他のＰＣは、図１０に示した設定部１３を備えるＰＣ３１１であればよい。
ＰＣ３０１以外のＰＣ３１１は、ネットワークを介して、画像プロファイル情報と、ＰＣ３０１が出力する印刷特性データ情報を受け取り、受け取った画像プロファイル情報と印刷特性データ情報とを、接続されている表示装置３１２に出力する。そして、ＰＣ３１１それぞれに接続される表示装置３１２の画像変換部１２は、３ＤＬＵＴ１２５１に基づいてＰＣ３１１から入力された映像信号を補正し、補正した映像信号を表示部４０に出力する。
このように、本実施形態によれば、ＰＣ３０１のみが色変換装置２０を備えるだけで、表示装置３０２及び複数の表示装置３１２を、印刷物に合わせた画質設定を行うことができる。
【００８４】
なお、上述した実施形態の図２の色補正装置１０、図６の色補正装置１０Ａ、図９の補正係数算出部１１と色変換装置２０、図１０の画像変換部１２の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等の可搬媒体、ＵＳＢ（Ｕｎｉｖｅｒｓａｌ  Ｓｅｒｉａｌ  Ｂｕｓ）  Ｉ／Ｆ（インタフェース）を介して接続されるＵＳＢメモリ、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００８５】
１、１Ｂ…表示システム、１０、１０Ａ、１０Ｂ−１、１０−１〜１０−ｎ…色補正装置、１１…補正係数算出部、１２…画像変換部、１４…送信部、２０…色変換装置、２１、２２…色変換エンジン、３０…映像出力装置、４０、４０−１〜４０−ｎ…表示部、５０…ネットワーク、１１１…基準画像出力部、１１２…プロファイル受信部、１１３…基準画像分解部、１２１…印刷特性記憶部、１２２…画像プロファイル記憶部、１２３…表示プロファイル記憶部、１２４…ディスプレイ補正データ作成部、１２５…画像補正部、１２５１…３ＤＬＵＴ、１３１…データ受信部、１３２…ディスプレイ設定部、３０１、３１１…ＰＣ、３０２、３１２…表示装置、３０１１、３１０１…映像出力部
【図１】
2015087447.tif 000003
【図２】
2015087447.tif 000004
【図３】
2015087447.tif 000005
【図４】
2015087447.tif 000006
【図５】
2015087447.tif 000007
【図６】
2015087447.tif 000008
【図７】
2015087447.tif 000009
【図８】
2015087447.tif 000010
【図９】
2015087447.tif 000011
【図１０】
2015087447.tif 000012
【国際調査報告】
2015087447.tif 000013
2015087447.tif 000014
2015087447.tif 000015
2015087447.tif 000016